(57)【要約】【課題】いずれの使用条件下で画像形成を行った場合であっても、フィルミングの発生及びそれに起因した黒点の発生を効果的に抑制することができる単層型電子写真感光体及びそのような単層型電子写真感光体を搭載した画像形成装置を提供する。【解決手段】結着樹脂と、正孔輸送剤と、電荷発生剤と、を含む感光層を備えた単層型電子写真感光体及び及びそれを用いた画像形成装置であって、正孔輸送剤として、下記一般式（１）で表されるヒドラゾン化合物を含むとともに、結着樹脂の接触角（測定温度：２５℃、測定試料：純水）を９８°以上の値とする。2008197458.tif 000030（一般式（１）中、Ｒ1〜Ｒ4は、それぞれ独立しており、水素原子、置換または非置換の炭素数１〜２０のアルキル基等であり、Ａｒ1は、置換または非置換の炭素数６〜３０のアリール基等であり、繰り返し数ｎは０または１である。）【選択図】図２
2008197458.tif 000002
【特許請求の範囲】
【請求項１】
結着樹脂と、正孔輸送剤と、電荷発生剤と、を含む感光層を備えた単層型電子写真感光体であって、
前記正孔輸送剤として、下記一般式（１）で表されるヒドラゾン化合物を含むとともに、
前記結着樹脂の接触角（測定温度：２５℃、測定試料：純水）を９８°以上の値とすることを特徴とする単層型電子写真感光体。
【化１】
2008197458.tif 000028
（一般式（１）中、Ｒ1〜Ｒ4は、それぞれ独立しており、水素原子、置換または非置換の炭素数１〜２０のアルキル基、置換または非置換の炭素数１〜２０のアルコキシ基、置換または非置換の炭素数６〜３０のフェノキシ基、置換または非置換の炭素数７〜２０のアラルキル基であり、Ａｒ1は、置換または非置換の炭素数６〜３０のアリール基、置換または非置換の炭素数３〜３０の複素環基であり、繰り返し数ｎは０または１である。）
【請求項２】
前記一般式（１）で表されるヒドラゾン化合物が、下記一般式（２）で表される化合物であることを特徴とする請求項１に記載の単層型電子写真感光体。
【化２】
2008197458.tif 000029
（一般式（２）中、Ａｒ1は、置換または非置換の炭素数６〜３０のアリール基、置換または非置換の炭素数３〜３０の複素環基であり、繰り返し数ｎは０または１である。）
【請求項３】
前記一般式（１）で表されるヒドラゾン化合物の添加量を、前記結着樹脂１００重量部に対して１０〜１００重量部の範囲内の値とすることを特徴とする請求項１または２に記載の単層型電子写真感光体。
【請求項４】
前記結着樹脂として、撥水性ポリカーボネート樹脂を含むことを特徴とする請求項１〜３のいずれか一項に記載の単層型電子写真感光体。
【請求項５】
前記撥水性ポリカーボネート樹脂として、シロキサン構造を有するポリカーボネート樹脂を含むことを特徴とする請求項４に記載の単層型電子写真感光体。
【請求項６】
前記シロキサン構造を有するポリカーボネート樹脂の全体量を１００ｍｏｌ％とした場合に、シロキサン構造を有する単位の含有割合を０．１〜２０ｍｏｌ％の範囲内の値とすることを特徴とする請求項５に記載の単層型電子写真感光体。
【請求項７】
請求項１〜６のいずれかに記載の単層型電子写真感光体を備えるとともに、当該単層型電子写真感光体の周囲に、帯電手段、露光手段、現像手段及び転写手段をそれぞれ配置することを特徴とする画像形成装置。
【請求項８】
前記現像手段が、現像同時クリーニング方式であることを特徴とする請求項７に記載の画像形成装置。
【発明の詳細な説明】
【技術分野】
【０００１】
本発明は、電子写真感光体及び画像形成装置に関し、特に、いずれの使用条件下で画像形成を行った場合であっても黒点発生が少ない電子写真感光体及びそのような電子写真感光体を備えた画像形成装置に関する。
【背景技術】
【０００２】
従来、画像形成装置等に備えられた電子写真感光体として、結着樹脂（バインダー樹脂）、電荷発生剤、及び電荷輸送剤（正孔輸送剤、電子輸送剤）等からなる有機感光体（ＯＰＣ）が使用されている。かかる有機感光体は、従来の無機感光体に比べて、製造が容易であるとともに、感光体材料の選択肢が多様であることから、構造設計の自由度が高いという利点がある。
しかしながら、有機感光体のなかでも単層型電子写真感光体は、積層型電子写真感光体のように機能分離をすることができないため、用いられる樹脂やその他材料についての選定の幅が狭められることとなる。したがって、感光層の表面特性を向上させることが、積層型電子写真感光体と比較して困難となり、フィルミングが発生しやすくなる。その結果、単層型電子写真感光体を用いて画像形成を実施すると、フィルミングの発生に起因して黒点が発生しやすくなるという問題が見られた。
【０００３】
そこで、フィルミングの発生を抑制すべく、感光層の結着樹脂として、下記一般式（２４）で表される繰り返し単位を有する撥水性の樹脂を用いて、感光層の表面特性を向上させる方法が提案されている（例えば、特許文献１）。
【０００４】
【化１】
2008197458.tif 000003
【０００５】
（一般式（２４）中のＲ5は脂肪族不飽和結合を含まない同種又は異種の一価炭化水素基であり、Ｒ6は各々独立にハロゲン原子、炭素数１〜６の置換若しくは無置換のアルキル基、炭素数１〜６の置換若しくは無置換のアルコキシ基又は炭素数６〜１２の置換若しくは無置換のアリール基であり、Ｘは各々独立に炭素数２以上のアルキレン基又は炭素数２以上のアルキレンオキシアルキレン基であり、Ｘ′は各々独立に炭素数２以上のアルキレン基、炭素数２以上のアルキレンオキシアルキレン基又は酸素原子であり、ａは各々独立に０〜４の整数であり、ｎａは０又は１であり、ｎｂは１又は２であり、ｎｃは１又は２であり、ただしｎａ＋ｎｂ＋ｎｃ＝３であり、ｎ１、ｎ２、ｎ３及びｎ４は各々独立に０又は１以上の整数であり、ただしｎ１＋ｎ２＋ｎ３＋ｎ４＝０〜４５０の整数である。）
【特許文献１】特開平１０−２３２５０３号公報（特許請求の範囲）
【発明の開示】
【発明が解決しようとする課題】
【０００６】
しかしながら、特許文献１に記載された電子写真感光体は、撥水性の結着樹脂を使用しているものの、未だ感光層の表面特性が十分に改善されておらず、画像形成条件によっては、フィルミングの発生を効果的に抑制することが困難であるという問題が見られた。
より具体的には、例えば、高温高湿条件下（温度４０℃、湿度９０％Ｒｈ）に、ドラム回転速度を１４０ｍｍ／秒として画像形成を繰り返すと、黒点が顕著に発生するという問題が見られた。
【０００７】
そこで、本発明者らは、正孔輸送剤として特定の構造を有するヒドラゾン化合物を用いるとともに、結着樹脂として、所定の測定条件下における接触角が所定範囲である結着樹脂を用いることによって、いずれの使用条件下であっても、感光層の表面特性を効果的に向上させることができることを見出し、本発明を完成させるに至った。
すなわち、本発明の目的は、いずれの使用条件下で画像形成を行った場合であっても、フィルミングの発生及びそれに起因した黒点の発生を効果的に抑制することができる単層型電子写真感光体及びそのような単層型電子写真感光体を搭載した画像形成装置を提供することにある。
【課題を解決するための手段】
【０００８】
本発明によれば、結着樹脂と、正孔輸送剤と、電荷発生剤と、を含む感光層を備えた単層型電子写真感光体であって、正孔輸送剤として、下記一般式（１）で表されるヒドラゾン化合物を含むとともに、結着樹脂の接触角（測定温度：２５℃、測定試料：純水）を９８°以上の値とすることを特徴とする単層型電子写真感光体が提供され、上述した問題点を解決することができる。
【０００９】
【化２】
2008197458.tif 000004
【００１０】
（一般式（１）中、Ｒ1〜Ｒ4は、それぞれ独立しており、水素原子、置換または非置換の炭素数１〜２０のアルキル基、置換または非置換の炭素数１〜２０のアルコキシ基、置換または非置換の炭素数６〜３０のフェノキシ基、置換または非置換の炭素数７〜２０のアラルキル基であり、Ａｒ1は、置換または非置換の炭素数６〜３０のアリール基、置換または非置換の炭素数３〜３０の複素環基であり、繰り返し数ｎは０または１である。）
【００１１】
すなわち、一般式（１）で表されるヒドラゾン化合物は、それ自体が表面改質効果を有するため、感光層の表面特性を向上させることができる。
より具体的には、感光層表面における接触角を増加させることができる。
また、かかる特定の構造を有する正孔輸送剤は、感光層中において結晶化しにくく、分散性に優れることから、上述した感光層の表面特性を向上させる効果を、感光層表面全体にわたって、均一に発揮させることができる。
さらに、結着樹脂として、所定の測定条件下における接触角が９８°以上の値である結着樹脂を用いることによって、上述した特定の構造を有する正孔輸送剤の効果と相俟って、より効果的に感光層の表面特性を向上させることができる。
したがって、いずれの使用条件下であっても、フィルミングの発生及びそれに起因した黒点の発生を、効果的に抑制することができる。
【００１２】
また、本発明の単層型電子写真感光体を構成するにあたり、一般式（１）で表されるヒドラゾン化合物が、下記一般式（２）で表される化合物であることが好ましい。
【００１３】
【化３】
2008197458.tif 000005
【００１４】
（一般式（２）中、Ａｒ1は、置換または非置換の炭素数６〜３０のアリール基、置換または非置換の炭素数３〜３０の複素環基であり、繰り返し数ｎは０または１である。）
【００１５】
このように構成することにより、その結晶性をより低下させることができるばかりか、電荷輸送能をより向上させることができる。
【００１６】
また、本発明の単層型電子写真感光体を構成するにあたり、一般式（１）で表されるヒドラゾン化合物の添加量を、結着樹脂１００重量部に対して１０〜１００重量部の範囲内の値とすることが好ましい。
このように構成することにより、感光層の表面特性を向上させる効果と、その電荷輸送能と、を共にバランスよく発揮させることができる。
【００１７】
また、本発明の単層型電子写真感光体を構成するにあたり、結着樹脂として、撥水性ポリカーボネート樹脂を含むことが好ましい。
このように構成することにより、感光層の表面特性の調節が容易になって、感光層表面におけるフィルミングの発生をより効果的に抑制することができるばかりか、結着樹脂と特定の構造を有する正孔輸送剤との相溶性を向上させることができる。
【００１８】
また、本発明の単層型電子写真感光体を構成するにあたり、撥水性ポリカーボネート樹脂として、シロキサン構造を有するポリカーボネート樹脂を含むことが好ましい。
このように構成することにより、感光層の表面特性をさらに容易に調節することができる。
【００１９】
また、本発明の単層型電子写真感光体を構成するにあたり、シロキサン構造を有するポリカーボネート樹脂の全体量を１００ｍｏｌ％とした場合に、シロキサン構造を有する単位の含有割合を０．１〜２０ｍｏｌ％の範囲内の値とすることが好ましい。
このように構成することにより、感光層の表面特性をさらに容易に調節することができる。
【００２０】
また、本発明の別の態様は、上述したいずれかの単層型電子写真感光体を備えるとともに、当該単層型電子写真感光体の周囲に、帯電手段、露光手段、現像手段及び転写手段をそれぞれ配置することを特徴とする画像形成装置である。
すなわち、本発明の画像形成装置は、所定の単層型電子写真感光体を備えるため、いずれの使用条件下であっても、フィルミングの発生に起因した黒点の発生を有効に防止した高品質な画像を、安定的に形成することができる。
【００２１】
また、本発明の画像形成装置を構成するにあたり、現像手段が、現像同時クリーニング方式であることが好ましい。
このように構成することにより、黒点の発生を効果的に抑制しつつも、画像形成装置を簡略化及び小型化することができる。
【発明を実施するための最良の形態】
【００２２】
［第１の実施形態］
第１の実施形態は、結着樹脂と、正孔輸送剤と、電荷発生剤と、を含む感光層を備えた単層型電子写真感光体であって、正孔輸送剤として、一般式（１）で表されるヒドラゾン化合物を含むとともに、結着樹脂の接触角（測定温度：２５℃、測定試料：純水）を９８°以上の値とすることを特徴とする単層型電子写真感光体である。
以下、第１の実施形態としての単層型電子写真感光体について、各構成要件ごとに、具体的に説明する。
【００２３】
１．基本的構成
図１（ａ）に示すように、単層型電子写真感光体１０は、基体１２上に単一の感光層１４を設けたものである。
また、かかる感光層は、特定の結着樹脂と、特定の構造を有する正孔輸送剤と、電荷発生剤と、を含むとともに、さらに必要に応じて電子輸送剤、レベリング剤またはシリル基含有化合物等の添加剤を含むことができる。
また、図１（ｂ）に示すように、導電性基体１２と感光層１４との間に、単層型電子写真感光体の特性を阻害しない範囲でバリア層１６が形成されている単層型電子写真感光体１０´でもよい。
なお、電荷輸送剤として、さらに電子輸送剤を含有させることによって、電荷発生剤と正孔輸送剤との間における電荷輸送効率を、さらに向上させることができる。
【００２４】
また、基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、上述した金属が蒸着又はラミネートされたプラスチック材料、ヨウ化アルミニウム、酸化スズ、酸化インジウム等で被覆されたガラス、あるいはカーボンブッラク等の導電性微粒子を分散してなるプラスッチク材料等があげられる。
また、基体の形状は、使用する画像形成装置の構造に合わせて、シート状、ドラム状等のいずれであってもよく、基体自体が導電性を有するか、あるいは基体の表面が導電性を有していればよい。
【００２５】
２．感光層
（１）結着樹脂
（１）−１  撥水性
本発明においては、結着樹脂として、その接触角（測定温度：２５℃、測定試料：純水）が９８°以上の値である結着樹脂を用いることを特徴とする。
この理由は、このような撥水性を有する結着樹脂であれば、後述する特定構造の正孔輸送剤が有する表面改質効果と相俟って、効果的に感光層の表面特性を向上させ、フィルミングの発生及びそれに起因した黒点の発生を、効果的に抑制することができるためである。
すなわち、単層型電子写真感光体は、積層型電子写真感光体のように機能分離をすることができないため、用いられる樹脂やその他材料についての選定の幅が狭められることとなる。したがって、感光層の表面特性を向上させることが、積層型電子写真感光体と比較して困難となり、フィルミングが発生しやすくなる。その結果、単層型電子写真感光体を用いて画像形成を実施すると、フィルミングの発生に起因して黒点が発生しやすくなるという問題が見られた。
一方、本発明であれば、結着樹脂の特性及び正孔輸送剤の種類をそれぞれ限定し、その相乗効果によって、感光層表面における撥水性を効果的に向上させることができる。
したがって、いずれの使用条件下であっても、フィルミングの発生及びそれに起因した黒点の発生を、効果的に抑制することができる。
より具体的には、結着樹脂の接触角が９８°未満の値となると、特定の構造を有する正孔輸送剤と組み合わせた場合であっても、感光層表面の撥水性を十分に向上させることが困難となる場合があるためである。一方、結着樹脂の接触角が過度に大きな値となると、フィルミングの発生を抑制することはできるものの、感光層表面における現像されたトナーの付着性が過度に低下する場合がある。
したがって、結着樹脂の接触角（測定温度：２５℃、測定試料：純水）を９８〜１２０°の範囲内の値とすることがより好ましく、１０２〜１１０°の範囲内の値とすることがさらに好ましい。
【００２６】
また、結着樹脂の接触角は、以下のようにして測定することができる。
すなわち、樹脂濃度２５％のテトラヒドロフラン溶液を、アルミニウム基板上にディップコート法にて塗布した後、１００℃、４０分間の条件で熱風乾燥して得られる膜厚２５μｍの樹脂膜を対象とすることができる。また、かかる樹脂膜の純水に対する接触角を、２５℃の条件下にて、接触角計（協和界面科学社製、ＦＡＣＥ−ＣＯＮＴＡＣＴ−ＡＮＧＬＥ  ＭＥＴＥＲ）を用いて液滴法にて測定することができる。
【００２７】
次いで、図２を用いて、結着樹脂の接触角と、黒点発生と、の関係を説明する。
図２においては、横軸に、結着樹脂の接触角（°）（測定温度：２５℃、測定試料：純水）を採り、縦軸に、対応する結着樹脂を使用して製造された単層型電子写真感光体を用いて画像形成を実施した場合におけるＡ４紙一枚あたりの黒点発生数（個／Ａ４紙）を採った特性曲線が示してある。
なお、正孔輸送剤としては、後述する式（６）で表される化合物（ＨＴＭ−１）を使用した。また、単層型電子写真感光体の構成及び黒点発生数の測定条件等についての詳細は、後の実施例において詳述する。
かかる特性曲線から理解されるように、結着樹脂の接触角が増加するのにともなって、黒点発生数が減少する傾向が見られる。
より具体的には、結着樹脂の接触角が９８°未満の範囲では、かかる値の増加にともなって、黒点発生数が緩やかに減少してはいるものの、１００個／Ａ４紙以上発生しており、実用上の許容範囲を超えてしまっている。一方、結着樹脂の接触角が９８°以上の範囲では、かかる値の増加にともなって、急激に黒点発生数が減少しており、１００個／Ａ４紙以下の範囲を安定して保持することができることがわかる。
したがって、特定の構造を有する正孔輸送剤を使用している場合であれば、結着樹脂の接触角（測定温度：２５℃、測定試料：純水）を９８°以上の値とすることによって、臨界的に黒点の発生を抑制することができることがわかる。
【００２８】
（１）−２  種類
また、結着樹脂として、撥水性ポリカーボネート樹脂を含むことが好ましい。
この理由は、撥水性ポリカーボネート樹脂であれば、感光層の表面特性の調節が容易になって、感光層表面におけるフィルミングの発生をより効果的に抑制することができるばかりか、結着樹脂と特定の構造を有する正孔輸送剤との相溶性を向上させることができるためである。
なお、かかる撥水性ポリカーボネート樹脂が、感光層表面付近においてその含有割合が増加するように、勾配をもって含有されていることも好ましい。
この理由は、比較的少量の撥水性ポリカーボネート樹脂であっても、フィルミングの発生を効果的に抑制することができるためである。
【００２９】
また、上述した撥水性ポリカーボネート樹脂として、シロキサン構造を有するポリカーボネート樹脂を含むことが好ましい。
この理由は、シロキサン構造を有するポリカーボネート樹脂であれば、感光層の表面特性をさらに容易に調節することができるためである。
すなわち、シロキサン構造部分が優れた撥水性を発揮させることができるためである。
【００３０】
また、シロキサン構造を有するポリカーボネート樹脂の全体量を１００ｍｏｌ％とした場合に、シロキサン構造を有する単位の含有割合を０．１〜２０ｍｏｌ％の範囲内の値とすることが好ましい。
この理由は、シロキサン構造を有する単位の含有割合をかかる範囲内の値とすることによって、感光層の表面特性をさらに容易に調節することができるためである。
すなわち、シロキサン構造を有する単位の含有割合が０．１ｍｏｌ％未満の値となると、感光層の表面特性を十分に向上させることが困難となる場合があるためである。一方、シロキサン構造を有する単位の含有割合が２０ｍｏｌ％を超えた値となると、感光層の機械的強度や電気特性が過度に低下する場合があるためである。
【００３１】
（１）−３  含有割合
また、単層型感光層に用いられる溶剤以外の全成分の全体量を１００重量部とした時、撥水性ポリカーボネート樹脂の含有割合を、３５〜６０重量部の範囲内の値とすることが好ましい。
この理由は、撥水性ポリカーボネート樹脂の含有割合が、３５重量部未満の値となると、感光層の表面特性を調整することが困難になる場合があり、逆に、かかる撥水性ポリカーボネート樹脂の含有割合が、６０重量部を超えると、感光層と、基材との間の密着力が極端に低下する場合があるためである。
したがって、撥水性ポリカーボネート樹脂の含有割合を、単層型感光層に用いられる結着樹脂全体量を１００重量部とした場合に、４０〜５５重量部の範囲内の値とすることがより好ましく、４５〜５０重量部の範囲内の値とすることがさらに好ましい。
【００３２】
（１）−４  粘度平均分子量
また、本発明の単層型感光層に用いられる撥水性ポリカーボネート樹脂の粘度平均分子量を１０，０００〜６０，０００の範囲内の値とすることが好ましい。
この理由は、かかる粘度平均分子量を有する撥水性ポリカーボネート樹脂を用いることにより、耐久性に優れた単層型電子写真感光体を提供することができるためである。
なお、撥水性ポリカーボネート樹脂の粘度平均分子量（Ｍ）は、オストワルド粘度計によって、極限粘度[η]を求め、Ｓｃｈｎｅｌｌの式によって、[η]＝１.２３×１０-4Ｍ0.83より算出することができる。なお、［η］は、２０℃で、塩化メチレン溶液を溶媒として、濃度（Ｃ）が６．０ｇ／ｄｍ3となるようにポリカーボネート樹脂を溶解させて得られたポリカーボネート樹脂溶液から測定することができる。
【００３３】
（１）−５  具体例
また、本発明に用いられる撥水性ポリカーボネート樹脂の具体例としては、下記構造式（３）〜（５）のポリカーボネート樹脂（Ｒｅｓｉｎ−１〜３）が挙げられる。
【００３４】
【化４】
2008197458.tif 000006
【００３５】
【化５】
2008197458.tif 000007
【００３６】
【化６】
2008197458.tif 000008
【００３７】
また、上述したような撥水性ポリカーボネート樹脂と、従来から一般的に使用されている種々の結着樹脂を併用して、感光層における表面特性を所定の範囲に調節することも好ましい。このような従来から一般的に使用されている結着樹脂としては、例えば、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂；エポキシアクリレート、ウレタン−アクリレート等の光硬化型樹脂等が挙げられる。
【００３８】
（２）正孔輸送剤
（２）−１  種類
また、本発明に用いられる正孔輸送剤としては、上述した一般式（１）で表されるヒドラゾン化合物を用いることを特徴とする。
この理由は、一般式（１）で表されるヒドラゾン化合物であれば、それ自体が表面改質効果を有するため、感光層の表面特性を向上させることができるためである。より具体的には、感光層表面における接触角を増加させることができるためである。
また、かかる特定の構造を有する正孔輸送剤は、感光層中において結晶化しにくく、分散性に優れることから、上述した感光層の表面特性を向上させる効果を、感光層表面全体にわたって、均一に発揮させることができるためである。
したがって、上述した所定の特性を有する結着樹脂の効果と相俟って、いずれの使用条件下であっても、フィルミングの発生及びそれに起因した黒点の発生を、効果的に抑制することができる。
すなわち、従来より、所定の特性を有する結着樹脂を用いることによって、感光層の表面特性を向上させる方法が実施されてきた。
しかしながら、かかる結着樹脂とともに用いられる電荷輸送剤等のモノマー成分の種類によっては、当該結着樹脂による感光層の表面特性を向上させる効果が阻害されてしまう場合が多く見られた。
より具体的には、モノマー成分自体の特性に起因して感光層の表面特性が低下したり、モノマー成分の結晶性に起因して、使用条件によっては感光層の表面特性が不安定になる場合があった。
一方、本発明における特定の構造を有する正孔輸送剤であれば、モノマー成分として上述した諸特性に優れることから、所定の特性を有する結着樹脂の効果と相俟って、いずれの使用条件下であっても、フィルミングの発生及びそれに起因した黒点の発生を、効果的に抑制することができる。
【００３９】
また、一般式（１）で表されるヒドラゾン化合物が、一般式（２）で表される化合物であることが好ましい。
この理由は、一般式（１）で表されるヒドラゾン化合物を、かかる構造に限定することによって、その結晶性をより低下させることができるばかりか、電荷輸送能をより向上させることができるためである。
すなわち、一般式（２）に示すように、ヒドラゾン化合物の左側部分に記載されているエチレンまたはブタジエン構造を含む構成部位、及び右側部分に記載されているヒドラゾン構造を含む構成部位が、それぞれ中央部分に記載されているジフェニルアミンにおけるフェニル基のパラ位に位置することによって、分子の平面性や対称性が好適な状態となり、結晶性をさらに低下させることができるためである。
また、電子雲の広がりが好適な状態となって、正孔移動速度についてもさらに向上させることができるためである。
さらに、一般式（１）におけるＲ1〜Ｒ4を水素原子とすることによって、上述した効果をさらに向上させることができるためである。
【００４０】
（２）−２  具体例
また、一般式（１）で表されるヒドラゾン化合物の具体例としては、下記式（６）〜（１０）で表される化合物（ＨＴＭ−１〜５）を挙げることができる。
なお、これらの化合物は、全て一般式（２）で表される化合物に該当する。
【００４１】
【化７】
2008197458.tif 000009
【００４２】
【化８】
2008197458.tif 000010
【００４３】
【化９】
2008197458.tif 000011
【００４４】
【化１０】
2008197458.tif 000012
【００４５】
【化１１】
2008197458.tif 000013
【００４６】
（２）−３  添加量
また、一般式（１）で表されるヒドラゾン化合物の含有量を、感光層における結着樹脂１００重量部に対して１０〜１００重量部の範囲内の値とすることが好ましい。
この理由は、特定の構造を有する正孔輸送剤の含有量を、かかる範囲内の値とすることによって、感光層の表面特性を向上させる効果と、その電荷輸送能と、を共にバランスよく発揮させることができるためである。
すなわち、特定の構造を有する正孔輸送剤の含有量が１０重量部未満の値となると、感光層の表面特性を向上させることが困難となるばかりか、感度が低下して、実用上の弊害が生じる場合があるためである。一方、特定の構造を有する正孔輸送剤の含有量が１００重量部を超えた値となると、かかる正孔輸送剤が過度に結晶化しやすくなって、感光層の表面特性が低下するばかりか、単層型電子写真感光体における電気特性が低下したり、クラックが発生しやすくなる場合があるためである。
したがって、特定の構造を有する正孔輸送剤の含有量を２０〜８０重量部の範囲内の値とすることがより好ましく、３０〜７０重量部の範囲内の値とすることがさらに好ましい。
【００４７】
次いで、図３を用いて、一般式（１）で表されるヒドラゾン化合物及びその他の化合物を用いた場合における黒点発生の差を説明する。
図３には、横軸に結着樹脂１００重量部に対する正孔輸送剤の添加量（重量部）を採り、縦軸に、対応する電子写真感光体を用いて画像形成を実施した場合におけるＡ４紙一枚あたりの黒点発生数（個／Ａ４紙）を採った特性曲線が示してある。
ここで、特性曲線Ａは、一般式（１）で表されるヒドラゾン化合物である式（６）で表される化合物（ＨＴＭ−１）を、特性曲線Ｂは、従来のヒドラゾン化合物である下記式（１１）で表される化合物（ＨＴＭ−６）を、さらに、特性曲線Ｃは、アミン化合物である下記式（１２）で表される化合物（ＨＴＭ−７）を、それぞれ正孔輸送剤として用いた場合の特性曲線である。
なお、結着樹脂としては、式（３）で表される撥水性ポリカーボネート樹脂（Ｒｅｓｉｎ−１）を用いた。また、単層型電子写真感光体の詳細な構成及び黒点発生数の測定条件等に付いての詳細は、後の実施例において詳述する。
【００４８】
【化１２】
2008197458.tif 000014
【００４９】
【化１３】
2008197458.tif 000015
【００５０】
まず、特性曲線Ａから理解されるように、正孔輸送剤として一般式（１）で表されるヒドラゾン化合物を用いた場合には、その含有量の変化に関わらず、安定的に黒点発生数を５０個／Ａ４紙前後に抑制することができる。
一方、特性曲線Ｂ及びＣから理解されるように、正孔輸送剤として一般式（１）で表されるヒドラゾン化合物以外の化合物を用いた場合には、その含有量の増加にともなって、黒点発生数が増加してしまうことがわかる。より具体的には、正孔輸送剤の含有量を６０重量部とした場合には、黒点発生数が１５０個／Ａ４紙前後にまで増加してしまうことがわかる。かかる理由は、特定の構造を有する正孔輸送剤以外の正孔輸送剤では、それ自身が十分な表面改質効果を有さず、さらには、特定の結着樹脂との特異的な相互作用を発揮することもできないためであると考えられる。
なお、特性曲線Ａに示すように、特定の構造を有する正孔輸送剤であれば、その含有量の変化に関わらず、黒点発生数を５０個／Ａ４紙前後に抑制することができる。しかしながら、特定の構造を有する正孔輸送剤の含有量が過剰量であったり、過度に少ない場合には、共に用いられる特定の結着樹脂の種類によっては、それらの結着樹脂との相互作用を発揮することが困難となったり、感度不足や結晶化等の問題が発生しやすくなる場合がある。したがって、特定の構造を有する正孔輸送剤の含有量を、１０〜１００重量部の範囲内の値とすることが好ましい。
【００５１】
（３）電子輸送剤
（３）−１  種類
本発明に用いられる電子輸送剤としては、従来公知の電子輸送剤を用いることができる。
例えば、ジフェノキノン誘導体、ピレン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の一種単独又は二種以上の組み合わせが挙げられる。
【００５２】
（３）−２  具体例
これらの電子輸送剤の具体例として、下記式（１３）〜（１６）で表わされる化合物（ＥＴＭ−Ａ〜ＥＴＭ−Ｄ）が挙げられる。
【００５３】
【化１４】
2008197458.tif 000016
【００５４】
【化１５】
2008197458.tif 000017
【００５５】
【化１６】
2008197458.tif 000018
【００５６】
【化１７】
2008197458.tif 000019
【００５７】
（３）−３  添加量
また、電子輸送剤の添加量を、結着樹脂１００重量部に対して、１０〜１００重量部の範囲内の値とすることが好ましい。
この理由は、電子輸送剤の添加量が１０重量部未満の値になると、感度が低下して、実用上の弊害が生じる場合があるためである。一方、電子輸送剤の添加量が１００重量部を超えた値になると、電子輸送剤が結晶化しやすくなり、感光層として適正な膜が形成されない場合があるためである。
したがって、電子輸送剤の添加量を２０〜８０重量部の範囲内の値とすることがより好ましい。
【００５８】
なお、電子輸送剤の添加量を定めるにあたり、正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００５９】
（４）電荷発生剤
（４）−１  種類
また、本発明の単層型電子写真感光体に使用される電荷発生剤としては、従来公知の電荷発生剤を用いることができる。
例えば、フタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤等の一種単独又は二種以上の混合物が挙げられる。
【００６０】
（４）−２  具体例
また、これらの電荷発生剤のうち、具体的に、下記式（１７）〜（２０）で表されるフタロシアニン系顔料（ＣＧＭ−Ａ〜ＣＧＭ−Ｄ）を使用することがより好ましい。
【００６１】
【化１８】
2008197458.tif 000020
【００６２】
【化１９】
2008197458.tif 000021
【００６３】
【化２０】
2008197458.tif 000022
【００６４】
【化２１】
2008197458.tif 000023
【００６５】
（４）−３  添加量
また、電荷発生剤の添加量を、結着樹脂１００重量部に対して、０．２〜４０重量部の範囲内の値とすることが好ましい。
この理由は、電荷発生剤の添加量が０．２重量部未満の値になると、量子収率を高める効果が不十分となり、単層型電子写真感光体の感度、電気特性、安定性等を向上させることができなくなるためである。一方、電荷発生剤の添加量が４０重量部を超えた値になると、可視光における赤色領域、近赤外領域、あるいは赤外領域に波長を有する光に対する吸光係数を大きくする効果が不十分となり、単層型電子写真感光体の感度特性、電気特性、及び安定性等を向上させることができない場合があるためである。
したがって、電荷発生剤の添加量を０．５〜２０重量部の範囲内の値とすることがより好ましい。
【００６６】
（５）添加剤
また、感光層には、上述した各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えばテルフェニル、ハロナフトキノン類、アセナフチレン等の公知の増感剤を電荷発生剤と併用してもよい。
【００６７】
（６）厚さ
また、単層型電子写真感光体における感光層の厚さは、５〜１００μｍの範囲内の値とすることが好ましい。
この理由は、感光層の厚さが５μｍ未満の値となると、感光層を均一に形成することが困難となったり、機械的強度が低下する場合があるためである。一方、感光層の厚さが１００μｍを超えた値となると、感光層が基体から剥離しやすくなる場合があるためである。
したがって感光層の厚さを１０〜５０μｍの範囲内の値とすることがより好ましく、１５〜４５μｍの範囲内の値とすることがさらに好ましい。
【００６８】
（７）表面特性
また、感光層の接触角（測定温度：２５℃、測定試料：純水）を１００°以上の値とすることが好ましい。
この理由は、感光層の接触角をかかる範囲内の値とすることによって、感光層の表面特性を定量的に調節することができるためである。
すなわち、感光層の接触角が１００°未満の値となると、感光層表面の撥水性が過度に低下して、フィルミングが発生しやすくなる場合があるためである。一方、感光層の接触角が過度に大きな値となると、フィルミングの発生を抑制することはできるものの、感光層表面に現像されたトナーの付着性が過度に低下する場合がある。
したがって、感光層の接触角（測定温度：２５℃、測定試料：純水）を１０２〜１２０°の範囲内の値とすることがより好ましく、１０３〜１１０°の範囲内の値とすることがさらに好ましい。
なお、感光層の接触角は、感光層表面を対象とする以外は、上述した結着樹脂の接触角と同様の方法で測定することができる。
【００６９】
（８）製造方法
単層型電子写真感光体の製造方法としては、特に制限されるものではないが、以下のような手順で実施することができる。
まず、溶剤に電荷発生剤、電荷輸送剤、結着樹脂、添加剤等を含有させて塗布液を作成する。このようにして得られた塗布液を、例えば、ディップコート法、スプレー塗布法、ビード塗布法、ブレード塗布法、ローラ塗布法等の塗布法を用いて基材（アルミニウム素管）上に塗布する。
その後、例えば１００℃、４０分間の条件で熱風乾燥して、所定膜厚の感光層を有する単層型電子写真感光体を得ることができる。
なお、分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル、１，３−ジオキソラン、１，４-ジオキサン、等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。このとき、さらに、電荷発生剤の分散性、感光層表面の平滑性を良くするために界面活性剤、レベリング剤等を含有させてもよい。
【００７０】
また、この感光層を形成する前に、基体上に中間層を形成しておくことも好ましい。
この中間層を形成するにあたり、結着樹脂、必要に応じて添加剤（有機微粉末または無機微粉末）を適当な分散媒とともに、公知の方法、例えばロールミル、ボールミル、アトライタ、ペイントシェーカー、超音波分散機等を用いて分散混合して塗布液を調整し、これを公知の手段、例えばブレード法、浸漬法、スプレー法により塗布して、熱処理を施し中間層を形成する。
また、添加剤は製造時の沈降等が問題とならない範囲であって、光散乱を生じさせて干渉縞の発生を防止する等の目的のために、各種添加剤（有機微粉末または無機微粉末）を少量添加することができる。
次いで、得られた塗布液を、公知の製造方法に準じて、例えば、支持基体（アルミニウム素管）上に、ディップコート法、スプレー塗布法、ビード塗布法、ブレード塗布法、ローラ塗布法等の塗布法を用いて塗布することができる。
その後、基体上の塗布液を乾燥する工程は、２０〜２００℃の温度で５分〜２時間の範囲で行うことが好ましい。
【００７１】
［第２の実施形態］
第２の実施形態は、第１の実施形態としての単層型電子写真感光体を備えるとともに、当該単層型電子写真感光体の周囲に、帯電手段、露光手段、現像手段及び転写手段をそれぞれ配置することを特徴とする画像形成装置である。
以下、第１の実施形態において記載した内容と異なる点を中心に、第２の実施形態としての画像形成装置について説明する。
【００７２】
第２の実施形態の画像形成装置は、例えば、図４に示すような複写機３０として構成することができる。かかる複写機３０は、画像形成ユニット３１、排紙ユニット３２、画像読取ユニット３３、及び原稿給送ユニット３４を備えている。また、画像形成ユニット３１には、画像形成部３１ａ及び給紙部３１ｂがさらに備えられている。そして、図示された例では、原稿給送ユニット３４は、原稿載置トレイ３４ａ、原稿給送機構３４ｂ、及び原稿排出トレイ３４ｃを有しており、原稿載置トレイ３４ａ上に載置された原稿は、原稿給送機構３４ｂによって画像読取位置Ｐに送られた後、原稿排出トレイ３４ｃに排出される。
そして、原稿が原稿読取位置Ｐに送られた段階で、画像読取ユニット３３において、光源３３ａからの光を利用して、原稿上の画像が読み取られる。すなわち、ＣＣＤ等の光学素子３３ｂを用いて、原稿上の画像に対応した画像信号が形成される。
一方、給紙部３１ｂに積載された記録用紙（以下、単に用紙と呼ぶ。）Ｓは、一枚ずつ画像形成部３１ａに送られる。この画像形成部３１ａには、像担持体である感光体ドラム４１が備えられており、さらに、この感光体ドラム４１の周囲には、帯電器４２、露光器４３、現像器４４、及び転写ローラ４５が、感光体ドラム４１の回転方向に沿って配置されている。
【００７３】
これらの構成部品のうち、感光体ドラム４１は、図中、実線矢印で示す方向に回転駆動されて、帯電器４２により、その表面が均一に帯電される。その後、前述の画像信号に基づいて、露光器４３により感光体ドラム４１に対して露光プロセスが実施され、この感光体ドラム４１の表面において静電潜像が形成される。
この静電潜像に基づき、現像器４４によりトナーを付着させて現像し、感光体ドラム４１の表面にトナー像を形成する。そして、このトナー像は、感光体ドラム４１と転写ローラ４５とのニップ部に搬送される用紙Ｓに転写像として転写される。次いで、転写像が転写された用紙Ｓは、定着ユニット４７に搬送されて、定着プロセスが行われる。
なお、感光体ドラム４１として、第１の実施形態で説明した単層型電子写真感光体を用いることを特徴とする。
【００７４】
また、定着後の用紙Ｓは、排紙ユニット３２に送られることになるが、後処理（例えば、ステイプル処理等）を行う際には、用紙Ｓは中間トレイ３２ａに送られた後、後処理が行われる。その後、用紙Ｓは、画像形成装置の側面に設けられた排出トレイ部（図示せず）に排出される。一方、後処理を行わない場合には、用紙Ｓは中間トレイ３２ａの下側に設けられた排紙トレイ３２ｂに排紙される。なお、中間トレイ３２ａ及び排紙トレイ３２ｂは、いわゆる胴内排紙部として構成されている。
【００７５】
また、本発明の画像形成装置において、現像手段が現像同時クリーニング方式であることが好ましい。すなわち、現像同時クリーニング方式とは、クリーニング装置を省略して、転写後の単層型電子写真感光体上の転写残りトナーを単層型電子写真感光体の現像工程において、現像手段である現像装置に回収させるとともに再使用する、クリーナーレスシステムの転写方式画像形成装置のことである。
通常、このようなクリーナーレスシステムの画像形成装置であれば、紙粉及びシリカ等を完全に回収することが難しく、単層型電子写真感光体に紙粉及びシリカの付着が比較的多くなる場合があり、黒点及び黒筋が発生しやすいという問題が生じやすくなる。一方、本発明の画像形成装置によれば、所定の単層型電子写真感光体を搭載しているため、現像手段が現像同時クリーニング方式であっても、フィルミングの発生を効果的に防ぐことができる。したがって、黒点の発生を有効に抑制しつつも、画像形成装置を簡略化及び小型化することができる。
【００７６】
また、本発明の画像形成装置において、単層型電子写真感光体のドラム回転速度が１００ｍｍ／ｓｅｃ以上であることが好ましい。
このようなドラム回転速度にすることにより、搬送経路における紙への負荷が大きくなり、そのため紙粉が発生しやすくなる。そのため、単層型電子写真感光体への紙粉の付着が多くなり、画像に黒点及び黒筋等が発生しやすくなるという問題が生じる。一方、かかる画像形成装置は、所定の単層型電子写真感光体を搭載しているため、黒点の発生を有効に抑制しつつも、画像形成効率を向上させることができる。
【実施例】
【００７７】
［実施例１］
１．単層型電子写真感光体の製造
容器内に、電荷発生剤として、式（１７）で表されるＸ型無金属フタロシアニン（ＣＧＭ−Ａ）を４重量部と、正孔輸送剤として式（６）で表されるヒドラゾン化合物（ＨＴＭ−１）を５０重量部と、電子輸送剤として式（１３）で表されるナフトキノン誘導体（ＥＴＭ−Ａ）を３０重量部と、結着樹脂として式（３）で表される粘度平均分子量が２０，０００のポリカーボネート樹脂（Ｒｅｓｉｎ−１）を１００重量部と、溶媒としてテトラヒドロフランを８００重量部と、を収容した。
次いで、ボールミルにて５０時間混合分散して、単層型感光層用の塗布液を作成した。得られた塗布液を、直径３０ｍｍの基体（アルミニウム素管）上に、ディップコート法にて塗布し、１００℃、４０分間の条件で熱風乾燥して、膜厚２５μｍの単層型感光層を有する単層型電子写真感光体を得た。
【００７８】
２．結着樹脂における接触角の測定
また、使用した結着樹脂における接触角の測定を行った。
すなわち、使用した結着樹脂２５重量部と、テトラヒドロフラン７５重量部と、を２４時間混合して、樹脂塗布液を作成した。次いで、得られた樹脂塗布液を直径３０ｍｍの基体（アルミニウム素管）上に、ディップコート法にて塗布し、１００℃、４０分間の条件で熱風乾燥して、膜厚２５μｍの樹脂膜を得た。次いで、かかる樹脂膜の純水に対する接触角（測定温度：２５℃）を、接触角計（協和界面科学社製、ＦＡＣＥ−ＣＯＮＴＡＣＴ−ＡＮＧＬＥ  ＭＥＴＥＲ）を用いて液滴法にて測定した。得られた結果を表１に示す。
【００７９】
３．単層型電子写真感光体の評価
（１）黒点発生数の測定
次いで、得られた単層型電子写真感光体を、ドラム回転速度が１４０ｍｍ／ｓｅｃのプリンタ（京セラミタ製、Ａｎｔｉｃｏ４０改造機）に装着し、４０℃、９０％Ｒｈの環境条件で、Ａ４紙（富士ゼロックス製上質ＰＰＣ用紙）を５０００枚連続印刷した。その後、２４時間放置した後、Ａ４紙の白紙原稿を印字して、そのＡ４紙上に発生した黒点の発生数を計数するとともに、下記基準に準じて評価した。得られた結果を表１に示す。
◎：Ａ４紙１枚あたりに黒点の発生が５０個未満である。
○：Ａ４紙１枚あたりに黒点の発生が５０個以上、１００個未満である。
×：Ａ４紙１枚あたりに黒点の発生が１００個以上である。
【００８０】
（２）明電位の評価
また、得られた単層型電子写真感光体の明電位測定を以下の条件で測定した。
すなわち、ドラム感度試験機（ＧＥＮＴＥＣ（株）製）を用いて、単層型電子写真感光体の表面電位を＋８５０Ｖに帯電させた状態で、ハロゲンランプの白色光からバンドパスフィルターを用いて取り出した波長７８０ｎｍの単色光（半値幅２０ｎｍ、光強度０．６μＪ／ｃｍ2）を単層型電子写真感光体表面に対して５０ｍｓｅｃ照射した。次いで、露光開始から０．３５秒経過した時点での表面電位を明電位（Ｖ）として測定した。得られた結果を表１に示す。
【００８１】
［実施例２］
また、実施例２では、結着樹脂として、式（４）で表される粘度平均分子量が２０，０００のポリカーボネート樹脂（Ｒｅｓｉｎ−２）を用いたほかは、実施例１と同様に単層型電子写真感光体を製造するとともに評価した。得られた結果を表１に示す。
【００８２】
［実施例３］
また、実施例３では、結着樹脂として、式（５）で表される粘度平均分子量が２０，０００のポリカーボネート樹脂（Ｒｅｓｉｎ−３）を用いたほかは、実施例１と同様に単層型電子写真感光体を製造するとともに評価した。得られた結果を表１に示す。
【００８３】
［実施例４］
実施例４では、正孔輸送剤として、式（７）で表されるヒドラゾン化合物（ＨＴＭ−２）を用いたほかは、実施例１と同様に単層型電子写真感光体を製造するとともに評価した。得られた結果を表１に示す。
【００８４】
［実施例５］
実施例５では、正孔輸送剤として、式（８）で表されるヒドラゾン化合物（ＨＴＭ−３）を用いたほかは、実施例１と同様に単層型電子写真感光体を製造するとともに評価した。得られた結果を表１に示す。
【００８５】
［実施例６］
実施例６では、正孔輸送剤として、式（９）で表されるヒドラゾン化合物（ＨＴＭ−４）を用いたほかは、実施例１と同様に単層型電子写真感光体を製造するとともに評価した。得られた結果を表１に示す。
【００８６】
［実施例７］
実施例７では、正孔輸送剤として、式（１０）で表されるヒドラゾン化合物（ＨＴＭ−５）を用いたほかは、実施例１と同様に単層型電子写真感光体を製造するとともに評価した。得られた結果を表１に示す。
【００８７】
［比較例１］
比較例１では、結着樹脂として、下記式（２１）で表される粘度平均分子量が２０，０００のポリカーボネート樹脂（Ｒｅｓｉｎ−４）を用いたほかは、実施例１と同様に単層型電子写真感光体を製造するとともに評価した。得られた結果を表１に示す。
【００８８】
【化２２】
2008197458.tif 000024
【００８９】
［比較例２］
比較例２では、結着樹脂として、下記式（２２）で表される粘度平均分子量が２０，０００のポリカーボネート樹脂（Ｒｅｓｉｎ−５）を用いたほかは、実施例１と同様に単層型電子写真感光体を製造するとともに評価した。得られた結果を表１に示す。
【００９０】
【化２３】
2008197458.tif 000025
【００９１】
［比較例３］
比較例３では、結着樹脂として、下記式（２３）で表される粘度平均分子量が２０，０００のポリカーボネート樹脂（Ｒｅｓｉｎ−６）を用いたほかは、実施例１と同様に単層型電子写真感光体を製造するとともに評価した。得られた結果を表１に示す。
【００９２】
【化２４】
2008197458.tif 000026
【００９３】
［比較例４］
比較例４では、正孔輸送剤として、式（１１）で表されるヒドラゾン化合物（ＨＴＭ−６）を用いたほかは、実施例１と同様に単層型電子写真感光体を製造するとともに評価した。得られた結果を表１に示す。
【００９４】
［比較例５］
比較例５では、正孔輸送剤として、式（１２）で表されるアミン化合物（ＨＴＭ−７）を用いたほかは、実施例１と同様に単層型電子写真感光体を製造するとともに評価した。得られた結果を表１に示す。
【００９５】
【表１】
2008197458.tif 000027
【産業上の利用可能性】
【００９６】
以上、詳述したように、本発明によれば、正孔輸送剤として特定の構造を有するヒドラゾン化合物を用いるとともに、結着樹脂として、所定の測定条件下における接触角が所定範囲である結着樹脂を用いることによって、いずれの使用条件下であっても、感光層の表面特性を効果的に向上させることができることを見出した。その結果、いずれの使用条件下で画像形成を行った場合であっても、フィルミングの発生及びそれに起因した黒点の発生を効果的に抑制することができるようになった。
したがって、本発明の単層型電子写真感光体は、複写機やプリンタ等の各種画像形成装置における低コスト化、高速化、高性能化等に寄与することが期待される。
【図面の簡単な説明】
【００９７】
【図１】（ａ）〜（ｂ）は、単層型電子写真感光体の基本構造及び変形構造を説明するために供する図である。
【図２】結着樹脂の接触角と、黒点発生数と、の関係を説明するために供する図である。
【図３】特定の構造を有する正孔輸送剤の添加量と、黒点発生数と、の関係を説明するために供する図である。
【図４】単層型電子写真感光体を備えた画像形成装置を説明するために供する図である。
【符号の説明】
【００９８】
１０：単層型電子写真感光体
１２：基体
１４：感光層
１６：バリア層
３０：複写機
３１：画像形成ユニット
３１ａ：画像形成部
３１ｂ：給紙部
３２：排紙ユニット
３３：画像読取ユニット
３３ａ：光源
３３ｂ：光学素子
３４：原稿給送ユニット
３４ａ：原稿載置トレイ
３４ｂ：原稿給送機構
３４ｃ：原稿排出トレイ
４１：感光体ドラム
４２：帯電器
４３：露光源
４４：現像器
４５：転写ローラ
【図１】
2008197458.tif 000031
【図２】
2008197458.tif 000032
【図３】
2008197458.tif 000033
【図４】
2008197458.tif 000034